(57)【要約】      （修正有）【課題】複数のデジタルカメラで撮影した画像ファイルを時系列で識別可能可能に保存できる画像ファイル名リンク装置を備えたデジタルカメラを提供する。【解決手段】デジタルカメラであって、無線通信手段と、この無線通信手段を介して他のカメラとリンクするリンク制御手段とを有し、前記リンク制御手段は、前記画像ファイルを記憶手段に書き込む際にリンク画像ファイル名を使用し、かつ少なくともそのリンク画像ファイル名に関するリンクデータを前記無線通信手段によって送信し、前記無線通信手段を介してリンク画像ファイル名に関するリンクデータを受信したリンク制御手段は、リンクしている場合は、そのカメラで撮影した画像ファイルをそのカメラの記憶手段に書き込むときに、前記受信したリンクデータに基づくリンク画像ファイル名を使用し、さらに記録に使用したリンク画像ファイル名に関するリンクデータを前記無線通信手段を介して送信する。【選択図】図２
2010118914.tif 000002
【特許請求の範囲】
【請求項１】
撮影した被写体像データを画像ファイルとして記憶手段に書き込むデジタルカメラであって、
無線通信手段と、
この無線通信手段を介して他のカメラとリンクするリンク制御手段とを有し、
前記無線通信手段を介して他のカメラとリンクしているカメラのリンク制御手段は、前記画像ファイルを記憶手段に書き込む際にリンク画像ファイル名を使用し、かつ少なくともそのリンク画像ファイル名に関するリンクデータを前記無線通信手段によって送信し、
前記無線通信手段を介してリンク画像ファイル名に関するリンクデータを受信したリンク制御手段は、そのカメラで撮影した画像ファイルをそのカメラの記憶手段に書き込むときに、前記受信したリンクデータに基づくリンク画像ファイル名を使用し、さらに記録に使用したリンク画像ファイル名に関するリンクデータを前記無線通信手段を介して送信すること、を特徴とする画像ファイル名リンク装置を備えたデジタルカメラ。
【請求項２】
請求項１記載の画像ファイル名リンク装置を備えたデジタルカメラにおいて、前記リンクデータは、使用したリンク画像ファイル名またはその次に使用すべき予約リンク画像ファイル名であって、前記リンクデータとして、使用したリンク画像ファイル名または予約リンク画像ファイル名を受信したカメラのリンク制御手段は、撮影した画像ファイルを記憶手段に書き込むときに、前記使用したリンク画像ファイル名の次に使用すべきリンク画像ファイル名または予約リンク画像ファイル名を使用する画像ファイル名リンク装置を備えたデジタルカメラ。
【請求項３】
請求項１または２記載の画像ファイル名リンク装置を備えたデジタルカメラにおいて、前記リンク画像ファイル名は、リンクしていることを識別する共通の識別符号と連続する一連の数字または符号の組合せによって構成されている画像ファイル名リンク装置を備えたデジタルカメラ。
【請求項４】
請求項１乃至３のいずれか一項記載の画像ファイル名リンク装置を備えたデジタルカメラにおいて、前記リンク制御手段は、前記撮影した画像ファイルのリンク画像ファイル名を前記記憶手段に書き込む前に少なくともそのリンク画像ファイル名を識別する情報または画像ファイルのサイズを前記無線通信手段を介して送信する画像ファイル名リンク装置を備えたデジタルカメラ。
【請求項５】
請求項１乃至４のいずれか一項記載の画像ファイル名リンク装置を備えたデジタルカメラは、前記記憶手段として内蔵メモリ及び着脱可能なメモリカードを有し、前記リンク制御手段は、１台のメインカメラ及び１台以上のサブカメラとしてリンクする機能を有し、前記メインカメラとしてリンクしたリンク制御手段は撮影した画像ファイルを前記メモリカードに記録し、前記サブカメラとしてリンクしたリンク制御手段は撮影した画像ファイルを前記内蔵メモリに書き込む画像ファイル名リンク装置を備えたデジタルカメラ。
【請求項６】
請求項５記載の画像ファイル名リンク装置を備えたデジタルカメラにおいて、前記サブカメラとしてリンクしたリンク制御手段は、前記メインカメラで使用されたメモリカードが装着されたときに内蔵メモリに書き込んだ、リンク画像ファイル名が付された画像ファイルを前記メモリカードにコピーする画像ファイル名リンク装置を備えたデジタルカメラ。
【請求項７】
請求項５または６記載の画像ファイル名リンク装置を備えたデジタルカメラにおいて、前記メインカメラとしてリンクしたリンク制御手段は、前記無線通信手段を介してリンク画像ファイル名または予約リンク画像ファイル名を受信したときに、そのリンク画像ファイル名の次のファイル名または予約リンク画像ファイル名のダミーデータを前記メモリカードに書き込む画像ファイル名リンク装置を備えたデジタルカメラ。
【発明の詳細な説明】
【技術分野】
【０００１】
本発明は、複数台のデジタルカメラで記録した画像に連番を付すことができる画像ファイル名リンク装置を備えたデジタルカメラに関する。
【背景技術】
【０００２】
従来のデジタルカメラは、撮像した画像ファイルを記憶手段に書き込む際に画像ファイルに固有のファイル名が付されている。画像ファイル名としては、通常、そのデジタルカメラを識別するアルファベットと数字の組合せ、撮影した暦、時間情報等が使用される（特許文献１）。デジタルカメラで撮影した画像ファイルを無線で送受信し、１台のデジタルカメラに蓄積できるものが知られている（特許文献２）。
【特許文献１】特開２００６-２５４０９８号公報
【特許文献２】特開平１０-３４１３８８号公報
【発明の開示】
【発明が解決しようとする課題】
【０００３】
結婚式、パーティーなど、同一イベントにおいて同一の被写体、被写体群を複数のデジタルカメラで撮影する撮影機会がある。しかし、各デジタルカメラで撮影した画像ファイルのファイル名はカメラごとに連番になっているので、複数のカメラで撮影した画像の撮影順、時間順はファイル名だけでは分からなかった。また、画像ファイルを無線で送受信する従来のデジタルカメラの場合も、撮影したデジタルカメラ毎に画像ファイル名が付されている。そのため、同一のイベントを複数のカメラで撮影した場合、複数のカメラで撮影した画像ファイルを一台のカメラの記録メディアにコピーし、かつ画像ファイル名を時系列で統一したい、という要望があった。
【０００４】
本発明は、かかる従来技術の課題に基づきなされたものであって、複数のデジタルカメラで撮影した画像ファイルを時系列で識別可能に保存できる画像ファイル名リンク装置を備えたデジタルカメラを提供することを目的とする。
【課題を解決するための手段】
【０００５】
かかる従来の課題を解決する本発明は、撮影した被写体像データを画像ファイルとして記憶手段に書き込むデジタルカメラであって、無線通信手段と、この無線通信手段を介して他のカメラとリンクするリンク制御手段とを有し、前記無線通信手段を介して他のカメラとリンクしているカメラのリンク制御手段は、前記画像ファイルを記憶手段に書き込む際にリンク画像ファイル名を使用し、かつ少なくともそのリンク画像ファイル名に関するリンクデータを前記無線通信手段によって送信し、前記無線通信手段を介してリンク画像ファイル名に関するリンクデータを受信したリンク制御手段は、リンクしている場合は、そのカメラで撮影した画像ファイルをそのカメラの記憶手段に書き込むときに、前記受信したリンクデータに基づくリンク画像ファイル名を使用し、さらに記録に使用したリンク画像ファイル名に関するリンクデータを前記無線通信手段を介して送信することに特徴を有する。
【０００６】
実際的には、前記リンクデータは、使用したリンク画像ファイル名またはその次に使用すべき予約リンク画像ファイル名であって、前記リンクデータとして、使用したリンク画像ファイル名または予約リンク画像ファイル名を受信したカメラのリンク制御手段は、撮影した画像ファイルを記憶手段に書き込むときに、前記使用したリンク画像ファイル名の次に使用すべきリンク画像ファイル名または予約リンク画像ファイル名を使用する。
【０００７】
前記リンク画像ファイル名は、リンクしていることを識別する共通の識別符号と連続する一連の数字または符号の組合せによって構成するのが好ましい。この構成によれば、ファイル名に付された共通の識別符号によりリンクされていることが判別でき、さらに連続する数字または符号により撮影順が分かる。
【０００８】
前記リンク制御手段は、前記撮影した画像ファイルのリンク画像ファイル名を前記記憶手段に書き込む前に少なくともそのリンク画像ファイル名を識別する情報または画像ファイルのサイズを前記無線通信手段を介して送信することが好ましい。書き込み前にリンク画像ファイル名を識別する情報を送信することで同一のリンク画像ファイル名の使用を防止が可能になり、画像ファイルのサイズを送信することで、撮影した画像ファイルのトータルサイズを知ることができる。
【０００９】
前記サブカメラとして設定されたデジタルカメラのリンク制御手段は、前記メインカメラで使用されたメモリカードが前記メモリカード接続手段に接続されたときは、前記サブカメラとして内蔵メモリに書き込んだ、リンク画像ファイル名が付された画像ファイルを前記メモリカードに書き込むことが好ましい。リンクされた画像ファイルを、デジタルカメラのみによって簡単に一枚のメモリカードに集めることができる。
【００１０】
前記メインカメラとして設定したリンク制御手段は、前記無線通信手段を介してリンク画像ファイル名または予約リンク画像ファイル名を受信したときは、そのリンク画像ファイル名の次のリンク画像ファイル名または予約リンク画像ファイル名のダミーデータを前記メモリカードに書き込む構成としてもよい。メインカメラの使用者は、撮影中は撮影した画像ファイルのトータルのデータ量を知ることができる。
【発明の効果】
【００１１】
以上の通り本発明によれば、予めリンクされた複数のデジタルカメラにより撮影すると、リンクされたいずれかのデジタルカメラで撮影した順番にファイル名が付された画像ファイルが記録される。リンクされたカメラの画像ファイルをメモリカードに集めたときに、撮影したデジタルカメラに関係なく、撮影した順にリンク画像ファイル名が付されているので、撮影順を簡単に知ることができ、その後の編集等も非常に簡単になる。
【発明を実施するための最良の形態】
【００１２】
本発明の最良の実施形態について、添付の図面を参照して説明する。図１は本発明を適用するデジタルカメラの主要構成部品を示すブロック図である。
【００１３】
このデジタルカメラ１０は、被写体を撮影する、撮影レンズ、絞り・シャッタユニット、撮像素子を含む撮像部１１を備え、撮像部１１撮像した画像ファイル（画像データ）は、制御部１３によってＲＡＷデータとしてＲＡＭ１５に記憶され、また、ホワイトバランス調整など所定の画像処理が施され、所定のフォーマットに変換されて、内蔵メモリ１７またはメモリカードコネクタ２１に着脱可能に接続されたメモリカード２３に書き込まれ、モニタ１９に表示される。撮影等の処理は、制御部１３に接続された操作部２７の操作を受けて制御部１３によって制御される。内蔵メモリ１７はフラッシュメモリであって、画像記憶領域の他に、記憶する画像ファイルのファイル名に関するデータ、デジタルカメラ１０の動作に必要なファンクション、データ、ファイル名に関するデータなどの記憶領域が設定されている。
【００１４】
制御部１３には操作部２７が接続されている。この操作部２７には、レリーズボタン３１（図２、図３参照）に連動して、レリーズボタン３１の半押しでオンする測光スイッチ、全押しでオンするレリーズスイッチや、撮影モード、動作モードなどを設定するスイッチや、電源をオン／オフするスイッチなど使用者が操作する各種のスイッチが含まれる。
さらにこのデジタルカメラ１０は、他のデジタルカメラと無線通信する無線通信部２５を備えている。この通信は、画像ファイルのファイル名（ファイル番号）を同期、つまり画像ファイル名リンク処理に利用される。無線通信部２５は、ブルートゥース、ＨＲＤ(Home Radio Frequency)などの情報機器間を結ぶ無線方式により構成することが好ましい。
【００１５】
このデジタルカメラ１０は、複数のデジタルカメラ１０の間において、撮影した画像ファイル（画像データ）を書き込む際に記録順にナンバリングする画像ファイル名リンク機能を備えている。この実施形態における画像ファイルリンク機能は、リンク制御部として機能する制御部２３の制御下で、無線通信部２５を介してリンクされた複数のデジタルカメラ１０の間でファイル名が重複しないように、かつ記録順に識別できるように、書き込む画像ファイルのファイル名をリンクさせることを特徴の一つとする。この実施形態では、画像ファイルのファイル名を通常のファイル名とは異なるリンク画像ファイル名を使用し、リンクした複数のデジタルカメラ１０において撮影順に連番を使用する。例えば、レリーズボタン３１がオン操作されて画像ファイルを内蔵メモリ１７またはメモリカード２３に書き込む際に、書き込むリンク画像ファイル名を使用済み（記録済み）のリンク画像ファイル名（通し番号）として内蔵メモリ１７に上書きするとともに、無線通信部２５を介して使用したリンク画像ファイル名に基づくデータ、ここでは使用したリンク画像ファイル名の次に使用すべきリンク画像ファイル名を予約リンク画像ファイル名として他のリンクデジタルカメラ１０に送信し、他のリンクデジタルカメラ１０は、無線通信部２５を介して受信した予約リンク画像ファイル名（通し番号）を内蔵メモリ１７に予約リンク画像ファイル名（通し番号）として上書きする。この撮影段階ではリンク画像ファイル名を通信するだけなので通信量が少なく、通信負荷、通信時間が少なくて済む。
【００１６】
予約リンク画像ファイル名を受信したデジタルカメラ１０及び他のデジタルカメラ１０は、次にレリーズボタン３１がオン操作されて撮影した画像ファイルを書き込むときに、内蔵メモリ１７の予約リンク画像ファイル名を読み出して、その予約リンク画像ファイル名を使用して内蔵メモリ１７またはメモリカード２３に画像ファイルを書き込むとともに、使用した予約リンク画像ファイル名の次に使用すべきリンク画像ファイル名を予約リンク画像ファイル名として他のデジタルカメラ１０に送信する。以上の処理を、リンクしたデジタルカメラ１０の間で繰り返し実行することで、リンクした複数のデジタルカメラ１０に撮影順にリンク画像ファイル名としてユニークなファイル名、通し番号が振られた画像ファイルが記録される。
【００１７】
この実施形態では、メインとなる１台のデジタルカメラ１０と、サブとなる１台以上のデジタルカメラ１０によってリンクが構成される。メインのデジタルカメラ１０は、撮影した画像ファイルをメモリカード２３に書き込み、サブのデジタルカメ１０は撮影した画像ファイルを内蔵メモリ１７に書き込む。
【００１８】
図２に、１台のメインのデジタルカメラ１０及び１台のサブのデジタルカメラ１０で撮影した画像ファイルとリンク画像ファイル名の関係を示した。この実施形態では、画像ファイルに通常とは異なるリンク画像ファイル名を設定するが、図示実施例では、機種を識別する４文字のアルファベット及び０００１から始まる４桁の通し番号で示した。なお、通常の撮影では画像ファイル名として、例えば「IMGA001.jpg」が使用される。
【００１９】
この実施形態では、撮影した画像ファイルをメモリカード２３、内蔵メモリ１７に書き込む順番に通し番号をインクリメントしている。図２（Ａ）、（Ｂ）は、１番目、２番目、４番目にメインのデジタルカメラ１０で撮影し、３番目、５番目はサブのデジタルカメラ１０で撮影していることを示している。また、この実施形態のデジタルカメラ１０は、使用済みファイル名を受信すると、その使用済みファイル名を使用してダミーファイルをメモリカード２３または内蔵メモリ１７に書き込んでいる。図２（Ａ）のファイル名IMGX0003、IMGX0005、図２（Ｂ）のファイル名IMGX0001、IMGX0002、IMGX0004がダミーファイルであることを示している。ダミーファイルは、メインカメラ１０ｍのみ、メモリカード２３に書き込むことが好ましい。また、送受信するデータとして、ファイル名（撮影の有無）の他、データ量を加えてもよい。データ量を受信することでトータルでのデータ量が分かり、適切な容量のダミーファイルを作成することで内蔵メモリ１７の使用容量を節約できる。
【００２０】
撮影が終了すると、メインのデジタルカメラ１０のメモリカード２３をサブのデジタルカメラ１０に差し込んで、サブのデジタルカメラ１０の内蔵メモリ１７に書き込まれた、リンクされた画像ファイルをメモリカード２３にコピーする（図３）。このコピー処理を、リンクした全てのサブのデジタルカメラ１０で実行することにより、メモリカード２３には、撮影時間順に連続したファイル名（ファイル番号）が付された画像ファイルを蓄積することができる。そうして、このメモリカード２３を装着したデジタルカメラ１０のモニタ画面に、ファイル名順に画像を表示することができる（図２（Ｄ））。なお、図２（Ａ）において、ファイル名IMGX0008、IMGX0009のコマは、他のサブカメラ１０ｓによって撮影（使用）されていることを現している。
【００２１】
このデジタルカメラ１０のリンク動作をさらに図４乃至図７を参照して詳細に説明する。図４は、メインのデジタルカメラ１０の主要動作をフローチャートで示す図、図５はサブのデジタルカメラ１０の主要動作をフローチャートで示す図である。これらのフローチャートには、メインリンク、サブリンクのモード設定処理から入る。以下の説明では、メインのデジタルカメラ１０を「メインカメラ１０ｍ」、１台または複数台からなるサブのデジタルカメラ１０を「サブカメラ１０ｓ」とする。リンクモードの設定は、メインカメラ１０ｍ、サブカメラ１０ｓを通信可能な範囲内に置いて（使用者が集まって）、一斉に行うことが望ましいが、先ずメインカメラ１０ｍについて設定し、その後、サブカメラ１０ｓを１台ずつ設定してもよい。
【００２２】
メインモード設定処理されたメインカメラ１０ｍの処理について、図２を参照して説明する。
【００２３】
メインカメラ１０ｍは、メインリンクモードが設定されると、メインカメラとしての初期化処理を実行する（Ｓ１０１）。
次に、通信１処理を実行する（Ｓ１０３）。この通信１処理は、メインカメラ１０ｍからサブカメラ１０ｓモード設定要求信号（サブリンクモード設定信号）を送信し、サブカメラ１０ｓから設定完了信号（モード設定完了信号）を受信し、さらにメインカメラ１０ｍからサブカメラ１０ｓへカメラＩＤ、ファイル名指定要求を送信し、サブカメラ１０ｓから設定完了信号（ＩＤ設定完了信号）を受信する通信処理である。このステップＳ１０３の通信１処理により、少なくとも１台のサブカメラ１０ｓとのリンクが成立する。
【００２４】
通信１処理が終了すると、認証ＯＫか否かをチェックする（Ｓ１０５）。つまり、ＩＤ設定完了信号を受信してリンクが成立したか否かをチェックする。認証ＯＫでは無い場合（Ｓ１０５：ＮＯ）、つまりリンクが成立していない場合はステップＳ１０３に戻って再度通信１処理を実行して、少なくとも１台のサブカメラ１０ｓとリンクを成立させる。そうして認証ＯＫと判定すると（Ｓ１０５：ＹＥＳ）、次のステップＳ１０７に進む。
【００２５】
なお、サブカメラ１０ｓを複数台使用する場合が想定されるが、ここでチェックが完了しなかった場合は、後のステップＳ１１５において追加カメラ有りか否かのチェックで判定し、追加カメラ有りの場合はステップＳ１０３に戻って通信処理１を再実行する。追加カメラ有り無しの判定は、例えば、メインカメラ１０ｍの操作部２７の操作によって追加カメラが設定されているかいないかで判定する構成とする。
【００２６】
ステップＳ１０７では撮影処理を実行する。この撮影処理は、レリーズボタン３１が半押しまたは全押しされたか否かをチェックして、半押しされたらＡＦ処理、測光処理を実行し、全押しされたら撮影する、という公知の撮影処理である。レリーズボタン３１が押されていないか、レリーズボタン３１が全押しされて撮影したら撮影処理を抜ける。そうして、撮影したか否かをチェックする（Ｓ１０９）。
【００２７】
撮影していない場合（Ｓ１０９：ＮＯ）は、ステップＳ１１５にジャンプして追加カメラがあるか否かチェックし、追加カメラがある場合（Ｓ１１５：ＹＥＳ）はステップＳ１０３に戻り、通信１処理によって追加カメラをサブカメラ１０ｓとして追加する。追加カメラが無い場合（Ｓ１１５：ＮＯ）は、モードが切り替えられたか否かチェックし（Ｓ１１７）、モードが切り替えられていない場合（Ｓ１１７：ＮＯ）はステップＳ１０７に戻る。
【００２８】
ステップＳ１０７において撮影していた場合（Ｓ１０９：ＹＥＳ）は、撮影した画像ファイルをリンク画像ファイル名を使用してメモリカード２３に書き込む（Ｓ１１１）。そうして、通信２処理を実行する（Ｓ１１３）。通信２処理は、ファイル名予約要求を送受信し、ビジー（再要求）を送信して、要求設定完了信号を受信し、１コマ終了信号を送信する処理が含まれる。ファイル名予約要求は、使用したリンク画像ファイル名または使用したリンク画像ファイル名の次のリンク画像ファイル名とする。ファイル名予約要求を使用したリンク画像ファイル名とした場合は、ファイル名予約要求を受信したカメラは、画像ファイルを書き込むときに受信したリンク画像ファイル名の次のリンク画像ファイル名を使用する。ファイル名予約要求を次のリンク画像ファイル名とした場合は、ファイル名予約要求を受信したサブカメラ１０ｓは、画像ファイルを書き込むときに受信した予約リンク画像ファイル名を使用する。以上の通信２処理により、リンクしたカメラのリンク画像ファイル名が更新され、リンクしたメインカメラ１０ｍ及びサブカメラ１０ｓにおいて、ユニークなリンク画像ファイル名が付されることになる。なおファイル名予約要求は、画像ファイルを書き込む前に送信してもよい。
【００２９】
通信２処理（Ｓ１１３）が終了すると、ステップＳ１１５に進んで追加カメラ有りか否かチェックする。追加カメラ有りと判定されなかった場合(Ｓ１１５：ＮＯ）は、ステップＳ１１７においてモード切替（リンクモード解除）か否かチェックする。モード切替と判定されたとき（Ｓ１１７：ＹＥＳ）は、通信３処理を実行してメインリンクモード処理を終了する（Ｓ１２１、ＥＮＤ）。通信３処理では、通常モード設定要求を送信し、サブカメラ１０ｓから通常モード設定完了信号を受信する。メインリンクモードを終了すると、操作部２７の操作により設定されたモードで動作する。
【００３０】
なお、通信３処理では、モード設定要求、ここではリンクモード解除設定または他のモード設定要求を出力し、モード設定完了信号を受信する。通信３処理は、リンクしたサブカメラ１０ｓの台数分だけモード設定完了信号を受信したときに終了する。サブカメラ１０ｓは、メインカメラ１０ｍから送信されたモード設定完了信号を受信したときに終了する。
【００３１】
次に、サブカメラ１０ｓの動作について、図５に示したフローチャートを参照して説明する。このサブリンクモード処理には、操作部２７の操作によってサブリンクモードが設定されたときに入る。
【００３２】
サブリンクモード処理に入ると、サブカメラとしての初期化処理を実行する（Ｓ２０１）。次に、モード設定要求信号を受信したか否かをチェックして受信するのを待つ（Ｓ２０３：ＮＯ、Ｓ２０３）。つまりメインカメラ１０ｍが出力するモード設定要求信号（サブモード設定要求信号）を受信するのを待つ。
モード設定要求信号を受信すると（Ｓ２０３：ＹＥＳ）、通信１′による通信処理を実行する（Ｓ２０５）。通信１′処理では、モード設定要求信号を受信してサブモード設定完了信号を送信し、カメラＩＤ、ファイル名指定要求信号を受信し、設定すると設定完了信号を送信する。なお、モード設定要求信号を受信してサブリンクモード処理の設定を確定し、受信したカメラＩＤ、ファイル名（リンク画像ファイル名）を内蔵メモリ１７に上書きする。そうして、撮影処理を実行する（Ｓ２０７）。この撮影処理は、メインカメラ１０ｍがステップＳ１０７で実行する撮影処理と同様である。
【００３３】
次に、撮影したか否かチェックし（Ｓ２０９）、撮影した場合（Ｓ２０９：ＹＥＳ）は、撮影した画像ファイルにリンク画像ファイル名を付して内蔵メモリ１７に書き込み（Ｓ２１１）、通信２処理を実行して（Ｓ２１３）、ステップＳ２１５に進む。撮影していない場合（Ｓ２０９：ＮＯ）はステップＳ２１１、Ｓ２１３をスキップしてステップＳ２１５に進む。
【００３４】
ステップＳ２１３の通信処理２では、ファイル名予約要求信号を出力し、Busy（再要求）信号を出力し、１コマ終了信号を受信する。この通信処理２による通信は、リンクしたメインカメラ１０ｍ及び全てのサブカメラ１０ｓで受信され、各カメラ１０ｍ、１０ｓは、次に使用するリンク画像ファイル名を１コマ分進める。
【００３５】
ステップＳ２１５では、メインカメラ１０ｍまたは他のサブカメラ１０ｓから送信された信号（ファイル名予約要求信号）を受信したか否かチェックする。受信した場合（Ｓ２１５：ＹＥＳ）は、通信２′処理（Ｓ２１７）を実行してステップＳ２１９に進み、受信しない場合（Ｓ２１５：ＮＯ）はそのままステップＳ２１９に進む。
【００３６】
ステップＳ２１７の通信２′処理は、メインカメラ１０ｍまたは他のサブカメラ１０ｓから送信されたファイル名予約要求信号に対する応答処理になる。この通信２′処理により、リンク画像ファイル名が更新される。
【００３７】
ステップＳ２１９ではモード切替か否かチェックする。モード切替ではない場合(Ｓ２１９：ＮＯ）はＳ２０７に戻って撮影処理を実行し、モード切替の場合（Ｓ２１９：ＹＥＳ）は通信３′処理を実行してサブリンクモード撮影処理を終了する（Ｓ２２１、終了）。サブリンクモード撮影処理を終了して後は、切り替えられたモードで動作する。
【００３８】
次に、リンクモードで撮影したサブカメラ１０ｓの内蔵メモリ１７に記録した画像ファイルをメインカメラ１０ｍのメモリカード２３にコピーして統合する動作を、図７に示したフローチャートを参照して説明する。このコピー処理は、図３に示したように、メインカメラ１０ｍのメモリカード２３を抜いて、各サブカメラ１０ｓに装着したサブカメラ１０ｓにより実行される処理である。また、このコピー処理は、例えば操作部２７の操作によってリンク画像コピーモードを選択することにより実行するように構成される。
【００３９】
コピー処理に入ると、まず内蔵メモリ１７から画像ファイルを読み込み（Ｓ３０１）、メモリカード２３に書き込まれた画像ファイルと比較する（Ｓ３０３）。この実施形態では、リンクモードで撮影した画像ファイルのリンク画像ファイル名を内蔵メモリ１７及びメモリカード２３から読み込み、比較する。実施形態では、内蔵メモリ１７、メモリカード２３からリンク画像ファイル名を全て読み込み、内蔵メモリ１７から読み込んだリンク画像ファイル名を一個ずつ、メモリカード２３から読み込んだ全リンク画像ファイル名と比較する。
【００４０】
次に、内蔵メモリ１７からメモリカードへのコピーＯＫか否かをチェックする（Ｓ３０５）。コピーＯＫであれば、メモリカード２３にコピーする（Ｓ３０７）。コピーが終了したら（Ｓ３０９：ＹＥＳ）、完了か否かチェックする（Ｓ３０９）。完了でなければ（Ｓ３０９：ＮＯ）、コピー中止か否かチェックし（Ｓ３１１）、中止でなければ（Ｓ３１１：ＮＯ）Ｓ３０３に戻って次の画像ファイルについてのコピー処理を継続する処理を、サブリンクモードで内蔵メモリ１７に書き込んだ画像ファイル全てについて実行し、画像ファイル全てについて処理が完了するか（Ｓ３０９：ＹＥＳ）、中止した場合（Ｓ３１１：ＹＥＳ）は、完了した旨、または中止した旨をモニタ１９に表示する表示処理（Ｓ３１３）を実行してコピー処理を終了する（ＲＥＴＵＲＮ）。
【００４１】
なお、ステップＳ３０５でコピーＯＫにならない原因としては、内蔵メモリ１７にサブリンクモードで撮影した画像ファイルが記録されていない（ファイル名がリンク画像ファイル名でない）第１の場合、同一リンク画像ファイル名の画像ファイルがすでにメモリカード２３に存在した第２の場合、メモリカード２３の空き容量が不足している第３の場合がある。前記第１、第２の場合はステップＳ３１１からステップＳ３０３に戻って次の画像ファイルについて処理を実行し、第３の場合はステップＳ３１１からステップＳ３１３に進んで第３の状態をモニタ１９に表示して終了する。
【００４２】
上記実施形態において、サブカメラ１０ｓの内蔵メモリ１７に書き込んだ画像ファイルのコピーを、サブカメラ１０ｓにメモリカード２３を差し込んで実行する構成として示したが、別の実施形態では、操作部２７の操作を受けて、無線通信部２５を介した無線通信より実行する構成にする。
以上は本発明をいわゆるコンパクトデジタルカメラに適用した場合を示したが、本発明は一眼レフタイプのデジタルカメラにも適用できる。
【図面の簡単な説明】
【００４３】
【図１】本発明を適用した実施形態であるデジタルカメラの主要構成を示すブロック図である。
【図２】本発明を適用したメインカメラ及びサブカメラで撮影した画像ファイルの記録マップを説明する図であって、（Ａ）はメインカメラのメモリカードに記録した画像を示す図、（Ｂ）はサブカメラの内蔵メモリに記録した画像を示す図、（Ｃ）はサブカメラの内蔵メモリの画像ファイルを、メインカメラから外したメモリカードにコピーした後の記録画像を示す図、（Ｄ）は同コピー後の記録画像を分割表示した様子を示す図である。
【図３】本発明を適用したサブカメラによって撮影し、内蔵メモリに記録した画像ファイルをメインカメラのメモリカードにコピーする態様を説明する図である。
【図４】本発明を適用したメインカメラの動作をフローチャートで示す図である。
【図５】本発明を適用したサブカメラの動作をフローチャートで示す図である。
【図６】同メインカメラとサブカメラ間の通信内容を説明する図である。
【図７】同サブカメラの内蔵メモリに記録した画像ファイルをメインカメラで使用していたメモリカードにコピーする動作をフローチャートで示す図である。
【符号の説明】
【００４４】
１０  デジタルカメラ
１０ｍ  メインカメラ
１０ｓ  サブカメラ
１１  撮像部
１３  制御部(リンク制御手段）
１７  内蔵メモリ（記憶手段）
１９  モニタ
２３  メモリカード（記憶手段）
２５  無線通信部（無線通信手段）
２７  操作部
３１  レリーズボタン
【図１】
2010118914.tif 000003
【図２】
2010118914.tif 000004
【図３】
2010118914.tif 000005
【図４】
2010118914.tif 000006
【図５】
2010118914.tif 000007
【図６】
2010118914.tif 000008
【図７】
2010118914.tif 000009